(57)【特許請求の範囲】
【請求項１】
主電力系統監視制御装置と他電力系統監視制御装置とを有する電力系統監視制御装置において、
前記主電力系統監視制御装置は、電力系統のデータベースソース（以下、ＤＢソースと略称する）を格納するとともに、その後の電力系統機器の増改設に伴って変更されるＤＢソースを格納する第１のＤＢソース格納手段と、変更後のＤＢソースやＤＢオブジェクトの変換処理制御指示を伝送する主装置伝送装置とを備え、
前記他電力系統監視制御装置は、予め主電力系統監視制御装置と同じＤＢソースを格納する第２のＤＢソース格納手段と、前記主装置伝送装置から伝送されてくるＤＢソースを受信し、この受信されたＤＢソースと前記第２のＤＢソース格納手段に既に格納されているＤＢソースとを比較し、受信されたＤＢソースに変更があれば当該第２のＤＢソース格納手段の内容を更新するＤＢ変更確認手段と、このＤＢ変更確認手段による変更されたＤＢソースの確認によって得られる試験の対象となる電力系統機器の名称を記憶する電力系統機器テーブルと、前記主装置伝送装置からのＤＢオブジェクト変換処理の指示要求を受けて、前記変更されたＤＢソースをＤＢオブジェクトに変換し、さらに当該変更されたＤＢソースおよびＤＢオブジェクトから電力系統機器相互に関連するノードブランチ情報を作成する相互関連情報作成手段と、このノードブランチ情報を記憶するノードブランチテーブルと、前記各電力系統機器の使用順番を表す電力系統機器の属性を定義する機器属性テーブルと、前記各電力系統機器の操作時の入り切り状態を判定するための操作可能条件を規定する電力系統機器操作関連テーブルと、前記各電力系統機器の種別および試験機能を規定する機器対応テーブルと、前記機器種別ごとに操作可能条件を規定するインターロック判定テーブルと、前記電力系統機器の増改設に伴う試験の対象となる電力系統機器の名称及び試験項目に基づき、前記各テーブルから選択的にデータを取り出して１種類以上の試験手順書を作成する試験手順書作成手段とを備えたことを特徴とする電力系統監視制御装置。
【請求項２】
主電力系統監視制御装置と他電力系統監視制御装置とを有する電力系統監視制御装置において、
前記主電力系統監視制御装置は、電力系統のＤＢソースを格納するとともに、その後の電力系統機器の増改設に伴って変更されるＤＢソースを格納する第１のＤＢソース格納手段と、変更後のＤＢソースやＤＢオブジェクトの変換処理制御指示を伝送する主装置伝送装置とを備え、
前記他電力系統監視制御装置は、予め前記主電力系統監視制御装置と同じＤＢソースを格納する第２のＤＢソース格納手段と、前記主装置伝送装置から伝送されてくるＤＢソースを受信し、この受信されたＤＢソースと前記第２のＤＢソース格納手段に既に格納されているＤＢソースとを比較し、受信されたＤＢソースに変更があれば当該第２のＤＢソース格納手段の内容を更新するＤＢ変更確認手段と、この第１のＤＢ変更確認手段による変更されたＤＢソースの確認によって得られる試験の対象となる電力対象機器の名称を記憶する電力系統機器テーブルと、前記主装置伝送装置からのＤＢオブジェクト変換処理の制御指示を受けて、前記変更されたＤＢソースをＤＢオブジェクトに変換し、さらに当該変更されたＤＢソースおよびＤＢオブジェクトから電力系統機器相互に関連するノードブランチ情報を作成する相互関連情報作成手段と、このノードブランチ情報を記憶するノードブランチテーブルと、前記電力系統機器テーブルから試験対象の電力系統機器の名称を取り出し、かつ、前記ノードブランチテーブルから変更された電力系統機器に隣り合う電力系統機器の名称を取り出し、試験対象電力系統機器でないが試験に必要な電力系統機器を決定する第２のＤＢ変更確認手段と、この第２のＤＢ変更確認手段によって決定される電力系統機器に基づいて試験手順書を作成する試験手順書作成手段とを備えたことを特徴とする電力系統監視制御装置。
【発明の詳細な説明】
【０００１】
【発明の属する技術分野】
本発明は、電力系統を表現するＤＢソースから変換されたＤＢオブジェクトを用いて電力系統を監視制御する電力系統監視制御装置に関する
【０００２】
【従来の技術】
一般に、電力系統の監視制御を行う場合、電力系統を構成する電力系統機器の接続状態を表すＤＢソースを作成するとともに、このＤＢソースをＤＢオブジェクト変換用プログラムを用いて実際に利用可能なＤＢオブジェクトデータに変換し、このＤＢオブジェクトデータを用いて電力系統の監視制御を行っている。
【０００３】
なお、ＤＢソースとは、人間が容易に認識可能な例えばＡＳＩＩやＪＩＣコード等のフォーマットで構成されるデータをいう。また、ＤＢオブジェクトとは、電力系統監視制御機能が監視・制御用プログラムで処理可能なデータを意味する。このデータとしては通常バイナリデータが用いられる。
【０００４】
ところで、近年，電力需要の変化に応じて随時電力系統機器の追加，変更，削除等の増改設を行っているが、この増改設に伴ってＤＢソースを追加，変更，削除する一方、この変更されたＤＢソースに基づいて運用中のＤＢオブジェクトデータに変換する必要がある。しかし、この変換されたＤＢオブジェクトデータをそのまま実際の電力系統の監視制御に用いることは電力系統の安全操業の面から難しい。よって、電力系統機器の増改設等に伴い、ＤＢソースを追加，変更，削除したとき、追加，変更，削除されたＤＢソースの試験を行う必要がある。
【０００５】
従来、電力系統機器の増改設等があったとき、図２１に示すような主電力系統監視制御装置１００を用いて、以下のような手順に従って、追加，変更，削除されたＤＢソースの試験を実施し、適切と判断されたとき、変換されたオブジェクトデータを用いて電力系統の監視制御を行っている。
（１）  先ず、メンテナンス員は、端末装置１０１を構成する入力装置１０１ａから読み出し指示を入力し、ＤＢソース格納手段１０２に既に格納されているＤＢソースを読み出して表示装置などの出力装置１０１ｂに表示し、現在のＤＢソースを確認しながら当該ＤＢソースの追加，変更，削除を行い、再度ＤＢソース格納手段１０２に格納する。
（２）  引き続き、メンテナンス員は、入力装置１０１ａからＤＢオブジェクトの変換処理を指示し、ＤＢオブジェクト作成手段１０３を動作させる。このＤＢオブジェクト作成手段１０３は、ＤＢソース格納手段１０２からＤＢソースデータを取り出し、オブジェクト変換用プログラムを用いてＤＢソースをＤＢオブジェクトデータに編集し、その編集結果のＤＢオブジェクトデータをＤＢオブジェクト格納手段１０４に格納する。
【０００６】
このＤＢオブジェクトデータの編集時、ＤＢソースにエラーが発生したとき、表示装置や印字装置などの出力装置１０１ｂからエラー発生を表示出力または印字出力し、メンテナンス員に通知する。メンテナンス員は、エラー発生を確認した後、端末装置１０１を構成する入力装置１０１ａを用いて、ＤＢソースデータを修正するために、再度前記（１）の最初の状態に戻り、前述する同様の処理を繰返し行う。
（３）  さらに、メンテナンス員は、以上のようにしてＤＢオブジェクトデータを作成した後、電力系統機器の追加，変更，削除に伴うＤＢソースに関する試験手順書を作成する。この試験手順書は、電力系統に追加，変更，削除された電力系統機器を初め、これら機器に接続される他の必要な機器の試験を行うための手順を規定する書面である。
（４）  しかる後、メンテナンス員は、主電力系統監視制御装置１００の本来の監視作業を停止させた後、試験手順書を見ながらＤＢソースの試験を実施する。具体的には、電力系統監視制御機能１０５は、端末装置１０１から試験開始指示を受けると、運用中と同じように動作し、変更されたＤＢソースから得られるＤＢオブジェクトデータを取り込み、これにメンテナンス員が入力装置１０１ａから試験手順書に基づく模擬的な電力系統機器の入り切り等の設定を受けながら、ＤＢソースの試験を行う。
（５）  この試験の結果、電力系統監視制御機能１０５は、ＤＢオブジェクト格納手段１０４のＤＢオブジェクトデータを用いて正常動作を確認すると、主電力系統監視制御装置１００側の追加，変更，削除されたＤＢソースのメンテナンスが終了する。
【０００７】
ところで、従来、電力系統機器は、電力系統の安全性，信頼性を確保する観点から、複数の電力系統監視制御装置によって監視される場合が多い。このため、実際の電力系統機器は実際上唯一のみ存在するが、当該電力系統機器のＤＢソースは各電力系統監視制御装置毎に必要となる。その結果、主電力系統監視制御装置１００に対する他の電力系統監視制御装置においても、電力系統機器の追加，変更，削除に伴い、ＤＢソースの追加，変更，削除を行うとともに、この追加，変更，削除されたＤＢソースの試験を前述する（１）〜（５）の手順に従って繰返し行う必要がある。
【０００８】
【発明が解決しようとする課題】
ところで、以上のような電力系統機器の追加，変更，削除に伴うＤＢソースの追加，変更，削除、さらにＤＢオブジェクトの更新および電力系統機器の試験をするに際し、次のような課題が指摘されている。
【０００９】
その１つは、複数の電力系統監視制御装置に管轄される電力系統機器の追加，変更，削除などがあると、各電力系統監視制御装置でそれぞれＤＢソースの追加，変更，削除を行い、またＤＢオブジェクトの変換を行わなければならない。
【００１０】
他の１つは、本来，主電力系統監視制御装置１００側のＤＢソースの追加，変更，削除等に伴う試験のメンテナンス作業であるにも拘らず、従電力系統監視制御装置側でも同様にそのメンテナンスに対応して追加，変更，削除される電力系統機器に関係するＤＢソースのメンテナンスに必要な試験手順書の作成および当該試験手順書に基づいて試験をしなければならない。
【００１１】
また、この試験の方法はメンテナンス員に任される点が多く、次の点から作業効率が悪いといった問題がある。すなわち、頻繁にＤＢソースのメンテナンスを行う場合、メンテナンスされるＤＢソースの試験漏れや試験対象項目に漏れが生じ易いこと。また、ＤＢソースのメンテナンスに際し、メンテナンス対象ではないが、追加，変更，削除された電力系統機器との関連から試験が必要となる電力系統機器が発生するが、その関連電力系統機器の試験を落してしまう問題がある。これは、ＤＢソースがどんな機能をもっているか把握しにくいためである。
【００１２】
さらに、他の１つは、試験手順書に基づいてＤＢソースを試験するための電力系統の作成するが、メンテナンス員の知識，経験，判断によることが多く、そのためＤＢソースを試験するための電力系統の作成に勘違いや間違いが発生し易い問題がある。
【００１４】
本発明は上記事情に鑑みてなされたもので、他の電力系統監視制御装置において自動的に試験手順書を作成する電力系統監視制御装置を提供することを目的とする。
また、本発明の目的は、他の電力系統監視制御装置において試験の対象となる電力系統機器を漏れなく自動的に抽出可能とする電力系統監視制御装置を提供することにある。
【００２３】
【課題を解決するための手段】
上記課題を解決するために、請求項１に対応する発明は、主電力系統監視制御装置としては、電力系統のＤＢソースを格納するとともに、その後の電力系統機器の増改設に伴って変更されるＤＢソースを格納する第１のＤＢソース格納手段と、変更後のＤＢソースやＤＢオブジェクトの変換処理制御指示を伝送する主装置伝送装置とを設け、一方、他電力系統監視制御装置は、予め主電力系統監視制御装置と同じＤＢソースを格納する第２のＤＢソース格納手段と、前記主装置伝送装置から伝送されてくるＤＢソースを受信し、この受信されたＤＢソースと前記第２のＤＢソース格納手段に既に格納されているＤＢソースとを比較し、受信されたＤＢソースに変更があれば当該第２のＤＢソース格納手段の内容を更新するＤＢ変更確認手段と、このＤＢ変更確認手段による変更されたＤＢソースの確認によって得られる試験の対象となる電力系統機器の名称を記憶する電力系統機器テーブルと、前記主装置伝送装置からのＤＢオブジェクト変換処理の指示要求を受けて、前記変更されたＤＢソースをＤＢオブジェクトに変換し、さらに当該変更されたＤＢソースおよびＤＢオブジェクトから電力系統機器相互に関連するノードブランチ情報を作成する相互関連情報作成手段と、このノードブランチ情報を記憶するノードブランチテーブルと、前記各電力系統機器の使用順番を表す電力系統機器の属性を定義する機器属性テーブルと、前記各電力系統機器の操作時の入り切り状態を判定するための操作可能条件を規定する電力系統機器操作関連テーブルと、前記各電力系統機器の種別および試験機能を規定する機器対応テーブルと、前記機器種別ごとに操作可能条件を規定するインターロック判定テーブルと、前記電力系統機器の増改設に伴う試験の対象となる電力系統機器の名称及び試験項目に基づき、前記各テーブルから選択的にデータを取り出して１種類以上の試験手順書を作成する試験手順書作成手段とを設けた電力系統監視制御装置である。
【００２４】
この請求項1に対応する発明は、以上のような手段を講じたことにより、他電力系統監視制御装置では、試験手順書作成手段が、主電力系統監視制御装置から受け取った変更後のＤＢソースから得られる試験の対象となる電力系統機器の名称に基づき、ノードブランチ情報及びＤＢソースの試験のために必要なデータを記憶する各種のデータを記憶する複数のテーブルから必要なデータを取り出し、異なる複数種類の試験手順書を作成するので、従来のように人為的に試験手順書を作成することによるＤＢソースの試験漏れや試験対象項目に漏れをなくすことができる。
【００２５】
請求項２に対応する発明は、主電力系統監視制御装置においては、電力系統のＤＢソースを格納するとともに、その後の電力系統機器の増改設に伴って変更されるＤＢソースを格納する第１のＤＢソース格納手段と、変更後のＤＢソースやＤＢオブジェクトの変更処理制御指示を伝送する主装置伝送装置とを設け、一方、他電力系統監視制御装置は、予め前記主電力系統監視制御装置と同じＤＢソースを格納する第２のＤＢソース格納手段と、前記主装置伝送装置から伝送されてくるＤＢソースを受信し、この受信されたＤＢソースと前記第２のＤＢソース格納手段に既に格納されているＤＢソースとを比較し、受信されたＤＢソースに変更があれば当該第２のＤＢソース格納手段の内容を更新するＤＢ変更確認手段と、この第１のＤＢ変更確認手段による変更されたＤＢソースの確認によって得られる試験の対象となる電力対象機器の名称を記憶する電力系統機器テーブルと、前記主装置伝送装置からのＤＢオブジェクト変換処理の制御指示を受けて、前記変更されたＤＢソースをＤＢオブジェクトに変換し、さらに当該変更されたＤＢソースおよびＤＢオブジェクトから電力系統機器相互に関連するノードブランチ情報を作成する相互関連情報作成手段と、このノードブランチ情報を記憶するノードブランチテーブルと、前記電力系統機器テーブルから試験対象の電力系統機器の名称を取り出し、かつ、前記ノードブランチテーブルから変更された電力系統機器に隣り合う電力系統機器の名称を取り出し、試験対象電力系統機器でないが試験に必要な電力系統機器を決定する第２のＤＢ変更確認手段と、この第２のＤＢ変更確認手段によって決定される電力系統機器に基づいて試験手順書を作成する試験手順書作成手段とを設けた電力系統監視制御装置である。
【００２６】
このような手段を講じたことにより、第２のＤＢ変更確認手段が電力系統機器記憶手段から試験対象の電力系統機器の名称を取り出し、かつ、ノードブランチ記憶手段から変更された電力系統機器に隣り合う電力系統機器の名称を取り出すことにより、試験対象電力系統機器でないが試験に必要な電力系統機器を確実に決定できる。
【００２９】
【発明の実施の形態】
（第１の実施の形態）
図１は本発明に係わる電力監視制御装置の一実施形態を示すブロック構成図である。
【００３０】
この電力系統監視制御装置は、大きく分けて主電力系統監視制御装置１と他電力系統監視制御装置（以下、従電力系統監視制御装置と指称する）５とで構成されている。
【００３１】
この主電力系統監視制御装置１は、入力装置２ａと出力装置２ｂとからなり、電力系統機器およびそれら機器の接続状態を含む電力系統を規定するＤＢソースを入力したり、また電力系統機器の追加，変更，削除等に伴うＤＢソースの追加，変更，削除等のデータを入力したり、その他必要な制御指示を入力する端末装置２と、この端末装置２から入力されるＤＢソースおよびその後の電力系統機器の追加，変更，削除等に伴って追加，変更，削除されるＤＢソースを格納するＤＢソース格納手段１１と、端末装置２からの動作制御指示を受けてＤＢソースをＤＢオブジェクトデータに変換するＤＢオブジェクト作成手段１２と、このＤＢオブジェクト作成手段１２で作成されるＤＢオブジェクトデータを格納するＤＢオブジェクト格納手段１３と、このＤＢオブジェクト格納手段１３のオブジェクトデータを用いて電力系統の監視制御を行う電力系統監視制御機能１４と、端末装置２から入力される伝送制御指示に基づいてＤＢソース格納手段１１に格納されるＤＢソースデータを伝送する主装置伝送装置１５とによって構成されている。
【００３２】
一方、従電力系統監視制御装置５は、主装置伝送装置１５から伝送されてくるＤＢソースデータを受信する従伝送装置５１と、主電力系統監視制御装置１のＤＢソース格納手段１１のＤＢソースと同一のＤＢソースが格納されるＤＢソース格納手段５２と、従伝送装置５１からのＤＢソースデータとＤＢソース格納手段５２のＤＢソースとを比較しながらＤＢソースに追加，変更，削除があるか否かを判断し、追加，変更，削除があればＤＢソース格納手段５２のＤＢソースを追加，変更，削除し、その他のデータであれば、そのデータ内容に従って所定の処理を実行するＤＢ変更確認手段５３と、このＤＢ変更確認手段５３で確認される追加，変更された電力系統機器の名称を記憶する試験対象電力系統機器テーブル５４とによって構成されている。
【００３３】
この試験対象電力系統機器テーブル５４に追加，変更年月日とともに追加，変更された電力系統機器の名称を登録することにより、電力系統の異常，試験時など必要なときに読み出して出力すれば、その解明に役立たせることかできる。なお、従電力系統監視制御装置２には、図示されていないが必要に応じてＤＢオブジェクト作成手段、ＤＢオブジェクト格納手段、電力系統監視制御機能等が設けられている。
【００３４】
次に、以上のように構成された装置の動作について説明する。
メンテナンス員は、端末装置２から伝送制御指示を入力すると、主装置伝送装置１５は、その伝送制御指示に従ってＤＢソース格納手段１１の中から従電力系統監視制御装置５が管轄するＤＢソースを検索する。
【００３５】
このＤＢソース格納手段１１には図２に示すような構成のデータガ格納されている。同図（ａ）はＤＢソースの格納状態を概略的に表したものであって、例えば同図（ｂ）のようなデータ配列構成となっており、電力系統の接続状態で表すと同図（ｃ）のようになっている。すなわち、ＤＢソースの構成は、電力系統機器（電力系統機器名称）毎に電力系統監視制御装置番号が割り当てられている。そして、同図２（ｂ）から明らかなように、ＣＢ  ＸＸＸとＤＳ  ＹＹＹが主電力系統監視制御装置１および従電力系統監視制御装置５の管轄となっており、他は主電力系統監視制御装置１のみの管轄となっている。
【００３６】
ここで、主電力系統監視制御装置１の主装置伝送装置１５は、ＤＢソース格納手段１１の中から従電力系統監視制御装置５の管轄するＤＢソースを検索すると、その検索されたＤＢソースを従電力系統監視制御装置５に伝送する。この従電力系統監視制御装置５の従装置伝送装置５１は、主装置伝送装置１５からＤＢソースを受信すると、ＤＢ変更確認手段５３に渡す。このＤＢ変更確認手段５３では、主装置伝送装置１５から受け取った電力系統機器の増改設に伴う追加，変更，削除されたＤＢソースとＤＢソース格納手段５２に既に格納されているＤＢソースとを比較し、ＤＢソースの追加，変更，削除があれば、ＤＢソース格納手段５２のＤＢソースを更新する一方、追加，変更，削除された電力系統機器データに基づいて試験対象電力系統機器の名称を試験対象電力系統機器テーブル５４に格納する。
【００３７】
さらに、図３に示す実際の電力系統に近い電力系統例に基づき、主電力系統監視制御装置１が従電力系統監視制御装置５にＤＢソースを伝送する例について説明する。
【００３８】
同図において電力系統甲は、主電力系統監視制御装置１が主管轄とする電力系統であって、開閉器類の監視，入り切りなどの制御を行う機能をもっている。なお、電力系統甲に対応する一点鎖線の部分は、主電力系統監視制御装置１がＤＢソースをメンテナンスする範囲である。
【００３９】
しかしながら、従電力系統監視制御装置５は、電力系統甲を管轄するが、監視を行う程度である。その結果、従電力系統監視制御装置５では、電力系統甲の全てのＤＢソースは不要であり、図示四角の枠で囲む「ＬＳ１０１」、「ＬＳ１０２」、「ＣＢ１０１」、「ＣＢ１０３」が必要である。従って、これら「ＬＳ１０１」、「ＬＳ１０２」、「ＣＢ１０１」、「ＣＢ１０３」のＤＢソースは送信するが、母線１１，母線１２のＤＢソースは送信しない。
【００４０】
一方、電力系統乙は、主電力系統監視制御装置５が主管轄とする電力系統であって、同様に開閉器類の監視，入り切りなどの制御を行う機能をもっている。この電力系統乙に対応する一点鎖線の部分は、従電力系統監視制御装置５がＤＢソースをメンテナンスする範囲である。
【００４１】
なお、本発明装置の実現に際し、図２の電力系統機器名称は全電力系統監視制御装置において唯一であって、同一の電力系統機器名称がないものとする。例えば電力系統機器名称の例は下記のようになる。
【００４２】
電気所名称＋電気所内電力系統機器名称
このようにすることにより、電力系統機器の名称を唯一のものとすることができる。
【００４３】
従って、以上のような実施の形態によれば、次のような効果を奏する。
従来の電力系統監視制御装置は、主・従電力系統監視制御装置１、５ともそれぞれ個別に「ＬＳ１０１」、「ＬＳ１０２」、「ＣＢ１０１」、「ＣＢ１０３」のＤＢソースを入力するが、本発明装置では、メンテナンスされる電力系統機器のうち複数の電力系統監視制御装置で管轄する電力系統機器の場合、当該電力系統機器の追加，変更，削除に係わるＤＢソースを主電力系統監視制御装置１だけに入力すればよく、従電力系統監視制御装置５のＤＢソースの入力作業を無くすことができる。よって、主電力系統監視制御装置１だけにＤＢソースを格納した後、伝送制御指示に基づき、ＤＢソース格納手段１１の中から従電力系統監視制御装置５が管轄するＤＢソースを検索し、当該従電力系統監視制御装置５に伝送すれば、従電力系統監視制御装置５では、ＤＢソース格納手段５２のＤＢソースの追加，変更，削除された部分を見つけだして更新し、さらに、追加，変更された電力系統機器の名称を試験対象電力系統機器テーブル５４に登録するので、従電力系統監視制御装置５が新たにＤＢソースの追加，変更，削除データを入力することなく、電力系統機器の増改設に伴うＤＢソースの更新作業を円滑に実施でき、入力作業の省力化を図ることができる。
（第２の実施の形態）
図４は本発明に係わる電力監視制御装置の一実施形態を示すブロック構成図である。
【００４４】
この電力系統監視制御装置は、図１と同様に主電力系統監視制御装置１と従電力系統監視制御装置２とで構成されている。
この主電力系統監視制御装置１は、図１と同様に端末装置２、ＤＢソース格納手段１１、ＤＢオブジェクト作成手段１２、ＤＢオブジェクト格納手段１３、電力系統監視制御機能１４および主装置伝送装置１５などから構成されている。
【００４５】
一方、従電力系統監視制御装置５は、従伝送装置５１、ＤＢソース格納手段５２、従伝送装置５１からのＤＢソースデータとＤＢソース格納手段５２のＤＢソースとを比較してＤＢソースに変更があるときＤＢソース格納手段５２を更新するＤＢ変更認識手段５３、試験対象電力系統機器テーブル５４の他、ＤＢオブジェクト作成手段５５、ＤＢオブジェクト格納手段５６、相互関連情報作成手段５７およびノードブランチテーブル５８が設けられている。ここで、ノードとは電力系統機器の開閉器（遮断器ＣＢや断路器ＬＳなど）を示す。開閉器の両端にブランチを接続し、開閉器の入り切り状態によってブランチに対し電気的に接続されるかどうかが決定される。また、ブランチとは、電力系統機器のノード（開閉器）で囲まれた電線を示す。通常，１つのブランチに対し、１個以上のノードの接続が可能である。
【００４６】
前記ＤＢオブジェクト作成手段５５は、主電力系統監視制御装置１から従装置伝送装置５１を介して直接、または従装置伝送装置５１および変更確認手段５３を介して変換処理制御指示を受けたとき、ＤＢソース格納手段５２に格納されているＤＢソースをＤＢオブジェクトデータに変換してＤＢオブジェクト格納手段５６に格納する機能をもっている。
【００４７】
前記相互関連情報作成手段５７は、主電力系統監視制御装置１から前述と同様な経路を通って起動制御指示を受けたとき、或いはＤＢオブジェクトの作成後に当該ＤＢオブジェクト作成手段５４からの起動指示を受けたとき、ＤＢソースおよびＤＢオブジェクトデータ等から電力系統機器相互に関連するノードブランチ情報を作成し、ノードブランチテーブル５８に格納する機能をもっている。
【００４８】
次に、以上のような装置の動作について説明する。
従電力系統監視制御装置５がＤＢソース格納手段５２にＤＢソースを格納する動作は、第１の実施の形態で既に述べているので、ここではその説明を省略し、第１の実施の形態とは異なる部分の動作について説明する。
【００４９】
メンテナンス員は、従電力系統監視制御装置５に対するＤＢオブジェクトの変換処理を必要とするとき、端末装置２からＤＢオブジェクトの変換処理制御指示を入力する。ここで、主装置伝送装置１５は、変換処理の制御指示を受けると、その制御指示データを従電力系統監視制御装置５の従装置伝送装置５１に通知する。
【００５０】
この従装置伝送装置５１は、変換処理の制御指示を受けると、ＤＢ変更認識手段５３を経由するか、或いは直接にＤＢオブジェクト作成手段５５を起動する。ここで、ＤＢオブジェクト作成手段５５は、ＤＢソース格納手段５２からＤＢソースを読み出し、ＤＢオブジェクト変換用プログラムを用いてＤＢソースからＤＢオブジェクトデータに変換し、その変換されたＤＢオブジェクトデータをＤＢオブジェクト格納手段５６に格納する。その後、従装置伝送装置５１またはＤＢオブジェクト作成手段５４は相互関連情報作成手段５７を起動する。この相互関連情報作成手段５７は、ＤＢソースおよびＤＢオブジェクトデータ等から電力系統機器相互に関連する情報を取り出してノードブランチ情報を作成し、ノードブランチテーブル５８に格納する。
【００５１】
これらノードブランチテーブル５８のノードブランチ情報は、後記する図６の装置を用いて試験手順書を自動的に作成するときに利用される。
従って、以上のような実施の形態によれば、主電力系統監視制御装置１における電力系統機器の追加，変更，削除に伴うＤＢソースの更新およびＤＢオブジェクトの変換処理だけでなく、該電力系統機器を管轄する従電力系統監視制御装置においても、主電力系統監視制御装置１からの指示に従って自動的にＤＢオブジェクトの変換処理を実行できる。つまり、主電力系統監視制御装置１が管轄する電力系統機器のＤＢソースのメンテナンス時に、従電力系統監視制御装置５側のＤＢソースからＤＢオブジェクトへの変換を同時に実行させることが可能となり、メンテンス作業の省力化を図ることができる。
（第３の実施の形態）
図５は本発明に係わる電力監視制御装置の一実施形態を示すブロック構成図である。
【００５２】
この電力系統監視制御装置は、従電力系統監視制御装置５においてＤＢオブジェクト変換処理時および電力系統機器相互の関連情報取出し処理時にエラーが発生した時、主電力系統監視制御装置１にそのエラー状態を通知することにあり、その他については図４と構成的に同じであるので、ここでは同一機能構成部分には同一符号を付して説明する。
【００５３】
主電力系統監視制御装置１は、図１および図４と同様に端末装置２、ＤＢソース格納手段１１、ＤＢオブジェクト作成手段１２、ＤＢオブジェクト格納手段１３、電力系統監視制御機能１４、主装置伝送装置１５の他、端末装置２を構成する出力装置２ｂが例えば表示装置のみである場合には新たに印字出力装置１６を設ける。また、主装置伝送装置１５は、送信機能だけでなく、受信機能を備え、従装置伝送装置５１との間で相互にデータの授受を行う機能をもっている。
【００５４】
一方、従電力系統監視制御装置５は、送受信機能をもつ従伝送装置５１、ＤＢソース格納手段５２、ＤＢ変更確認手段５３、試験対象電力系統機器テーブル５４、主電力系統監視制御装置１からＤＢオブジェクトの変換処理の制御指示を受けたとき、変換用プログラムに従ってＤＢソースをＤＢオブジェクトデータに変換してＤＢオブジェクト格納手段５６に格納するＤＢオブジェクト作成手段５５、ＤＢオブジェクトの作成後にＤＢオブジェクト作成手段５５または従装置伝送装置５１から起動制御指示を受けたとき、所定のプログラムを用いてＤＢソースおよびＤＢオブジェクトデータ等から電力系統機器相互に関連する情報を取り出してノードブランチ情報を作成しノードブランチテーブル５８に格納する相互関連情報作成手段５７が設けられている。
【００５５】
次に、以上のように構成された装置の動作について説明する。
メンテナンス員は、端末装置２からＤＢオブジェクトの変換処理制御指示を入力すると、主装置伝送装置１５では、その変換処理制御指示を受けて従電力系統監視制御装置５の従装置伝送装置５１に伝送する。この従装置伝送装置５１は、制御指示を受けるとＤＢオブジェクト作成手段５５を起動する。
【００５６】
ここで、ＤＢオブジェクト作成手段５５は、オブジェクト変換用プログラムを用いてＤＢソース格納手段５２に格納されるＤＢソースをＤＢオブジェクトに変換し、例えばバッフアメモリ（図示せず）などに一時格納した後、ＤＢオブジェクト格納手段５６に格納する。
【００５７】
ところで、ＤＢオブジェクトの変換処理時、ＤＢソースの間違いと思われる異常を検出する場合がある。これは、例えば相互関連情報作成手段５７において所定のプログラムを用いてＤＢソースおよびＤＢオブジェクトデータ等から電力系統機器相互に関連する情報を取り出すときも、同様にＤＢソースおよびＤＢオブジェクトデータの間違いと思われる異常を検出する場合がある。
【００５８】
以上の点に関し、図３を用いて具体的に説明する。図３では、ＬＳ  １０１、ＬＳ  １０２、ＣＢ  １０１、ＬＳ  １０３のＤＢソースが従電力系統監視制御装置５に伝送するものとする。一方、相互関連情報作成手段５６は、ＬＳ  １０１とＬＳ  １０２とが母線に接続するＬＳであるのに拘らず、母線の定義がないことから、定義不足であると診断する。
【００５９】
そこで、相互関連情報作成手段５６は、その診断に基づき、従装置伝送装置５１を経由して主電力系統監視制御装置１に定義不足出ある旨のエラーデータを送信する。その結果、主電力系統監視制御装置１の主装置伝送装置１５は、従装置伝送装置５１からＬＳ  １０１とＬＳ  １０２との接続に関する母線の定義が存在しないことを印字出力装置１６または表示装置２ｄに出力する。
【００６０】
ＤＢメンテナンス中のメンテナンス員は、その出力内容からＤＢソースの修正が必要であるか否かを判断し、修正が必要な場合には例えばＤＢソース格納手段１１のＤＢソースの中に従電力系統監視制御装置５で管轄するための母線１１および母線１２に関するＤＢソースを追加する。
【００６１】
従って、以上のような実施の形態によれば、従電力系統監視制御装置５においてＤＢソースからＤＢオブジェクトの変換処理時または電力系統機器相互の関連情報取出し処理時、ＤＢソースに間違いがあった場合、主電力系統監視制御装置１のメンテナンス員に対して間違いを通知するので、メンテナンス員はエラー内容を確認後、間違いが発見されれば、ＤＢソースを容易に修正できる。しかも、修正されたＤＢソースは従電力系統監視制御装置５に伝送するので、従電力系統監視制御装置５ではその修正されたＤＢソースの下にＤＢオブジェクトの変換処理や電力系統機器相互の関連情報の取出し処理を実行でき、ＤＢソースに間違いを未然に発見でき、メンテナンスの信頼性、電力系統の安全性に貢献する。
（第４の実施の形態）
図６は本発明に係わる電力監視制御装置の一実施形態を示すブロック構成図である。
【００６２】
この電力系統監視制御装置は、主電力系統監視制御装置１と従電力系統監視制御装置２とからなっている。
この主電力系統監視制御装置１は、図１，図４および図５と同様に端末装置２、ＤＢソース格納手段１１、ＤＢオブジェクト作成手段１２、ＤＢオブジェクト格納手段１３、電力系統監視制御機能１４等によって構成され、さらに送受信機能をもった主装置伝送装置１５が設けられている。
【００６３】
一方、従電力系統監視制御装置５は、送受信機能をもった従装置伝送装置５１、ＤＢソース格納手段５２、従装置伝送装置５１からのＤＢソースデータとＤＢソース格納手段５２のＤＢソースとを比較しＤＢソースに変更があるときＤＢソース格納手段５２を更新するＤＢ変更確認手段５３、ＤＢ変更確認手段５３で追加，変更，削除等の変更されたＤＢソースから取り出される試験対象電力系統機器名称その他必要なデータを格納する試験対象電力系統機器テーブル５４、ＤＢソース格納手段５２のＤＢソースからＤＢオブジェクトデータを変換するＤＢオブジェクト作成手段５５、このＤＢオブジェクト作成手段５４で作成されるＤＢオブジェクトデータを格納するＤＢオブジェクト格納手段５６が設けられている。
【００６４】
さらに、従電力系統監視制御装置５は、所定のプログラムを用いてＤＢソースおよびＤＢオブジェクトデータ等から電力系統機器相互に関連する情報を取り出しノードブランチ情報を作成する相互関連情報作成手段５７と、この相互関連情報作成手段５７で作成されるノードブランチ情報を格納するノードブランチテーブル（図７参照）５８と、予め各電力系統機器がどの場所でどのような順番で使用されるか等を表す電力系統機器の属性を定義する機器属性テーブル（図８参照）５９と、電力系統機器の操作時の入り切り状態を判定するための操作可能条件を規定する電力系統機器操作関連テーブル（図９参照）６０と、各電力系統機器の種別および試験機能を規定する機能対応テーブル（図１０参照）６１と、機器種別ごとに操作可能条件を規定するインターロック判定テーブル（図１１参照）６２、これら各種のテーブルの内容を用いて試験項目の異なる複数の試験手順書を作成する試験手順作成装置６３とが設けられている。６４は試験手順書データを格納する試験手順書格納手段である。さらに、試験手順作成装置６３にはプリンタその他表示装置などの出力装置６５が設けられている。
【００６５】
次に、以上のような装置の動作について説明する。
メンテナンス員は、端末装置２から追加，変更，削除されたＤＢソースの伝送制御指示を入力すると、主装置伝送装置１５はその送信指示を受け取って追加，変更，削除後のＤＢソースを取り出して従電力系統監視制御装置５の従装置伝送装置５１に送信する。
【００６６】
ここで、従装置伝送装置５１は受信したＤＢソースをＤＢ変更確認手段５３に渡す。このＤＢ変更確認手段５３は、受信したＤＢソースとＤＢソース格納手段５２に既に格納されているＤＢソースとを比較し、受信したＤＢソースに追加，変更，削除があればＤＢソース格納手段５２の内容を更新する一方、電力系統機器の追加，変更されたことによる試験対象電力機器の名称その他必要なデータを試験対象電力系統機器テーブル５４に格納する。
【００６７】
引き続き、メンテナンス員は、端末装置２および主装置伝送装置１５を介してＤＢオブジェクトの変換処理制御指示を送信すると、従装置伝送装置５１ではその制御指示を受けてＤＢオブジェクト作成手段５５を起動させる。このＤＢオブジェクト作成手段５５は、変換用プログラムを用いてＤＢソース格納手段５２からＤＢソースを取り出してＤＢオブジェクトに変換しＤＢオブジェクト格納手段５６に格納するが、この変換処理時にエラーが発生すれば従装置伝送装置５１および主装置伝送装置１５を経由してプリンタなどの出力装置１６に出力し、メンテナンス員に通知する。
【００６８】
そして、ＤＢオブジェクトに変換した後、相互関連情報作成手段５７を起動し、第４の実施の形態で説明したようにノードブランチ情報を作成しノードブランチテーブル５８に格納する。図７はノードブランチテーブル５８の内容を説明する図であって、同図（ａ）に示す電力系統では同図（ｂ）のようなデータ配列の形で格納されている。
【００６９】
以上のようにして試験対象電力系統機器テーブル５４およびノードブランチテーブル５８に必要なデータを確保した後、試験手順書作成手段６３にて試験に必要とする複数種類の試験手順書を自動的に作成する。この試験手順書の作成にあっては、機器属性テーブル５９、機器操作関連テーブル６０、機器対応テーブル６１およびインターロック判定テーブル６２などのデータを用いて作成する。
【００７０】
前記機器属性テーブル５９は、図８に示すように電力系統機器名称ごとに属性を規定する。電力系統機器操作関連テーブル６０は、図９に示すように送電線引出口の開閉器の操作可能条件を規定する。これら電力系統機器名称ごとに属性と開閉器の操作可能条件とを用いて、各電力系統機器ごとに操作可能か否かの試験手順書を作成する。前記機器対応テーブル６１は、図１０に示すように各電力系統機器の種別および試験機能を規定し、またインターロック判定テーブル６２は、図１１に示すように機器ごとに操作可能条件を規定する。
【００７１】
次に、以上のような各種テーブルのデータを用いて４種類の試験手順書を作成する例について説明する。ここで、４種類とは、（１）  電気的な接続に関する操作試験。ここで、操作とは入り切りなどの操作を意味する、（２）  他の開閉器（アースなども含む）の入り切り状態と関連する操作試験。（３）  電気的な接続以外の操作試験。（４）  状態変化時の試験である。
（１）  電気的な接続に関する操作試験について。
【００７２】
試験手順書作成手段６３は、試験対象電力系統機器テーブル５４から追加，変更された電力系統機器名称を取り出した後、その電力系統機器名称を用いて図７のノードブランチテーブル５８からブランチ番号を取り出し、さらに同一のブランチ番号を使用している電力系統機器を再度ノードブランチテーブル５８から取り出す。
【００７３】
今、例えば図７に示すように電力系統機器ＬＳ  ＹＹＹを新たに追加したとする。ＬＳ  ＹＹＹの操作における電気的な接続の試験のためには、ノードブランチテーブル５８からＬＳ  ＹＹＹの両ブランチであるブランチ番号「３６」と  「３７」との充停電状態を変化させればよいことが判断できる。よって、ＬＳ  ＹＹＹの電力系統機器の両端ブランチの充停電状態を変化させたときに操作を行うための試験手順書を作成できる。この試験手順書は、
0003701767.tif 000002
の４通りの試験手順をが作成できる。
【００７４】
引き続き、試験手順書作成手段６３は、これら試験結果の良否について作成する。このためには図１１のインターロック判定テーブル６２が用いられる。
ここで、ＬＳ  ＹＹＹの機器種別がＬＳタイプ２と入力されている場合、上述の試験ケース１〜３では「操作不可」、試験ケース４は「操作可」と判断することができる。その結果、試験手順書作成手段６３では、図１２に示すような試験手順書を作成できる。作成された試験手順書データは試験手順書格納手段６４に格納する一方、出力装置６５から出力する。なお、図１２の「判定」項目部分はメンテナンス員が試験結果として記入する部分である。
（２）  他の開閉器の入り切り状態と関連する操作試験について。
【００７５】
試験手順書作成手段６３は、試験対象電力系統機器テーブル５４から追加，変更された電力系統機器名称を取り出し、かつ、この電力系統機器名称に基づいて図８に示す機器属性テーブル５９から属性を取り出し、さらに電力系統機器操作関連テーブル６０から操作可能条件を取り出す。
【００７６】
以上の点に関し、図１３、図８および図９を用いて具体的に説明する。図１３は電気所３０番、送電線引出口部の３番目における電力系統機器ＬＳ  １に対する他の開閉器の入り切り状態を説明する図である。
【００７７】
今、ＬＳ  １の操作可能条件は、機器属性テーブル５９のＬＳ  １に対応する属性に基づいて図９の電力系統機器操作関連テーブル６０に基づき、
ＬＳ  １の操作可能条件１……  ＣＢ  １切り
または
ＬＳ  １の操作可能条件２……  ＣＢ  １入り、かつ、ＬＳ  ３切り
と定義づけられる。そして、これらの条件のもとに図１４に示すような試験手順書を作成でき、出力装置６５から出力できる。
（３）  電気的な接続以外の操作試験について。
【００７８】
この試験手順の作成は、例えば操作禁止設定の試験などである。
開閉器の入り切り操作を計算機から禁止させるという機能がある。例えば該当する開閉器が現地で作業中であるとか、或いは送電線の故障が復旧していないために送電線への電気の送電を禁止するため、該当する遮断器ＣＢの入り操作を禁止するなどの場合、この機能を使用し、操作禁止を設定する。ここでは、かかる設定が可能であるかどうかの試験を行うことにある。
【００７９】
試験手順書作成手段６３は、追加，変更された電力系統機器の機器種別を把握しているので、この機器種別に基づき、予め機器対応テーブル６１に規定する内容から操作禁止設定の試験必要有りの試験手順書を作成し、試験手順書格納手段６４に格納する一方、出力装置６５から出力する。
【００８０】
今、試験として、遮断器ＣＢ１が追加され、かつ、ＣＢ１が制御可能な開閉器であるという前提を考えると、次のような試験手順書を作成できる。
試験のための準備：なし
試験の実施：遮断器ＣＢ１に操作禁止設定の操作を画面から行う。
【００８１】
試験の結果：操作禁止の設定が受け付けられ、遮断器ＣＢ１に操作禁止が設定され、画面の該当部分の表示が操作禁止設定状態に変化することを確認する、と出力される。
（４）  状態変化時の試験について
また、試験手順書作成手段６３は、前述によって求められた試験対象の電力間系統機器の状態変化時の試験手順書を作成する。
【００８２】
出力例としては、
ａ．開閉器が入り状態から切り状態へ変化したときの試験
ｂ．開閉器が切り状態から入り状態へ変化したときの試験
従って、以上のような実施の形態によれば、追加，変更された試験の対象となる電力系統機器のＤＢソースの試験手順書を自動的に作成でき、これにより試験手順書作成の省力化および電力系統機器の追加，変更等に伴うＤＢソースのメンテナンス作業の効率化を上げることができ、試験対称機器の試験の漏れを容易に防止できる。
【００８３】
また、主電力系統監視制御装置１のメンテナンス時、メンテナンス対象ではないが従電力系統監視制御装置５で試験を必要とする電力系統機器についても、従電力系統監視制御装置５でＤＢソースの試験手順書を確実に作成できる。
（第５の実施の形態）
図１５は本発明に係わる電力監視制御装置の一実施形態を示すブロック構成図である。この電力監視制御装置は、図６とほぼ同様な構成であるので、同一機能部分には同一符号を付して説明する。この実施の形態では、特にメンテナンス対象電力系統機器以外の試験必要電力系統機器を決定することにある。
【００８４】
この電力系統監視制御装置は、図６と同様に主電力系統監視制御装置１と従電力系統監視制御装置５とで構成され、主電力系統監視制御装置１は、端末装置２、ＤＢソース格納手段１１、ＤＢオブジェクト作成手段１２、ＤＢオブジェクト格納手段１３、電力系統監視制御機能１４、送受信機能をもった主装置伝送装置１５などが設けられている。
【００８５】
一方、従電力系統監視制御装置５は、送受信機能をもった従装置伝送装置５１、ＤＢソース格納手段５２、従装置伝送装置５１からのＤＢソースとＤＢソース格納手段５２のＤＢソースとを比較しＤＢソースに変更があるときＤＢソース格納手段５２を更新するＤＢ変更確認手段５３、ＤＢ変更確認手段５３でＤＢソースデータから取り出される試験対象電力系統機器名称その他必要なデータを格納する試験対象電力系統機器テーブル５４、ＤＢソース格納手段５２のＤＢソースからＤＢオブジェクトデータを変換するＤＢオブジェクト作成手段５５、このＤＢオブジェクト作成手段５４で作成されるＤＢオブジェクトデータを格納するＤＢオブジェクト格納手段５６、ＤＢソースおよびＤＢオブジェクトデータ等から電力系統機器相互に関連するノードブランチ情報を取り出す相互関連情報作成手段５７、この作成されるノードブランチ情報を格納するノードブランチテーブル（図７参照）５８、予め各電力系統機器がどの場所でどのような順番で使用されるか等を表す電力系統機器の属性を定義する機器属性テーブル（図８参照）５９、電力系統機器の操作時の入り切り状態を判定するための操作可能条件を規定する電力系統機器操作関連テーブル（図９参照）６０、各電力系統機器の種別および試験機能を規定する機能対応テーブル（図１０参照）６１、機器種別ごとに操作可能条件を規定するインターロック判定テーブル（図１１参照）６２、これら各種のテーブルの内容を用いて試験項目の異なる複数の試験手順書を作成する試験手順作成装置６３と、試験手順書データを格納する試験手順書格納手段６４及び試験手順書を出力するプリンタその他表示装置などの出力装置６５等が設けられている。
【００８６】
次に、以上のような装置の動作について説明する。
この実施の形態においては、電力系統機器の追加，変更，削除に伴うＤＢソースの追加，変更，削除に対し、従電力系統監視制御装置５へのＤＢソースの格納およびＤＢオブジェクトの変換処理、さらに試験手順書の作成等は図６の説明と同様であるので、ここではその説明を省略し、専ら異なる部分の動作について説明する。
【００８７】
先ず、メンテナンス対象電力系統機器以外の試験必要電力系統機器には以下のような４ケースが考えられる。
ケース１：電力系統機器の追加，変更によって隣り合う電力系統機器が変化したことによって選出される試験必要電力系統機器
ケース２：電力系統機器の追加，変更によって操作条件となる電力系統機器が変化したことによって選出される試験必要電力系統機器
ケース３：電力系統機器の削除によって隣り合う電力系統機器が変化したことによって選出される試験必要電力系統機器
ケース４：電力系統機器の削除によって操作条件となる電力系統機器が変化したことによって選出される試験必要電力系統機器等が上げられる。
【００８８】
以下、各ケースについて具体的に説明する。
（１）  ケース１
ＤＢ変更確認手段５３は、メンテナンスによる追加，変更される電力系統機器と隣り合う電力系統機器について図７のノードブランチテーブル５８から選択し、これを試験必要電力系統機器とし、試験対象電力系統機器テーブル５４に登録する。
【００８９】
以上の点について、図１６と図７とを用いて具体的に説明する。
今、図１６に示す電力系統に対して、電力系統機器ＬＳ  ａａａおよびＬＳ  ｂｂｂを追加すると、図７に示すような電力系統となる。ここで、ＬＳ  ａａａが追加されたとき、ＬＳ  ａａａ以外に試験に必要な電力系統機器は次のようにして求める。
【００９０】
すなわち、ＤＢ変更確認手段５３は、電力系統機器テーブル５４から順に試験対象電力系統機器野名称を取り出す。また、ノードブランチテーブル５８から追加，変更された電力系統機器に隣り合う電力系統機器の名称を取り出す。
【００９１】
因みに、図７の場合には、ＬＳ  ＹＹＹとＬＳ  ＺＺＺが対象となる。なお、ＬＳ  ａａａとＬＳ  ｂｂｂの試験手順書は第４の実施の形態で既に作成済みである。そこで、この第４の実施の形態と同様の手順によりＬＳ  ＹＹＹとＬＳ  ＺＺＺとの電気的な接続のための試験手順書を作成する。
（２）  ケース２
ＤＢ変更確認手段５３は、メンテナンスによる追加，変更される電力系統機器について操作が可能かどうかの判定条件としている電力系統機器名称を、図９に示す電力系統機器操作関連テーブル６０から検索し、それを試験必要電力系統機器と判定し、試験対象電力系統機器テーブル５４に登録する。
【００９２】
以上の点について、図１３と図１７とを用いて具体的に説明する。
今、図１７に示す電力系統に対して電力系統機器ＣＢ  １を追加したとき、図１３のような電力系統となる。このとき、ＬＳ  １はメンテナンス対象ではないが、操作の試験をする必要がある。具体的には、ＤＢ変更確認手段５３はＣＢ  １の追加を判定する。しかる後、図８に示す機器属性テーブル５９からＣＢ  １の属性を取り出し、この属性を用いて電力系統機器操作関連テーブル６０の中から、ＣＢ  １が関連する電力系統機器を選び出す。その結果、ＬＳ  １の操作にはＣＢ  １の入り切り状態と関連すると判定できる。こうしてＬＳ  １が試験必要電力系統機器と判定し、このＬＳ  １を試験対象電力系統機器テーブル５４に登録する。
【００９３】
この試験必要電力系統機器ＬＳ  １の登録後、試験手順書作成手段６３では前述する第４の実施の形態と同様の要領で試験手順書を作成する。
（３）  ケース３
ＤＢ変更確認手段５３は、削除された電力系統機器がかって隣り合っていた電力系統機器名称をノードブランチテーブル５８から判定し、これを試験対象電力系統機器とし、試験対象電力系統機器テーブル５４に登録する。
【００９４】
電力系統機器のＤＢソースを削除した場合、ＤＢ変更確認手段５３は、削除時にノードブランチテーブル５８から削除された電力系統機器のブランチに隣り合うノードから電力系統機器の名称を求め、それを試験必要電力系統機器として試験対象電力系統機器テーブル５４に登録する。この削除された電力系統機器のブランチに隣り合うノードから電力系統機器の名称を求めて試験対象電力系統機器テーブル５４に登録後、試験手順書作成手段６３において前述する第４の実施の形態と同様の要領で試験手順書を作成する。
（４）  ケース４
図１３の電力系統状態から電力系統機器ＣＢ  １を削除すると、図１７のような電力系統となるが、この場合にもＬＳ  １の操作試験をする必要がある。
【００９５】
具体的には、ＣＢ  １が削除されたとき、ＤＢ変更確認手段５３は、電力系統機器操作関連テーブル６０からＣＢ  １が関連していた電力系統機器を判定する。その結果、同じ送電線引き出し口の甲母線側のＬＳ  １という結果が得られる。このようにして求められたＬＳ  １を試験対象電力系統機器テーブル５４に登録する。この登録後、試験手順書作成手段６３において試験手順書を作成する。
【００９６】
従って、以上のような実施の形態によれば、主電力系統監視制御装置１のメンテナンスにおいて、メンテナンスの対象外であるが試験を必要とする電力系統機器が従電力系統監視制御装置５で発生するとき、この従電力系統監視制御装置５でメンテナンス対象でないが試験を必要とする電力系統機器に関する試験手順書も容易に作成できる。
（第６の実施の形態）
図１８は本発明に係わる電力系統監視制御装置の一実施の形態を示すブロック構成図である。
【００９７】
この電力系統監視制御装置は、主電力監視制御装置１（同図ａ）と従電力監視制御装置５（同図ｂ）とをそれぞれ分離独立の構成とし、そのうち特に従電力監視制御装置５において単独で必要な処理，例えばＤＢソースの試験を模擬的に実行可能な構成としたものである。
【００９８】
従って、以下、従電力監視制御装置５のみについて説明する。なお、この従電力監視制御装置５において図１５と同一機能部分には同一符号を付して説明する。
【００９９】
この従電力監視制御装置５は、図１５と同様な機能をもつＤＢソース格納手段５２、ＤＢ変更確認手段５３、試験対象電力系統機器テーブル５４、ＤＢオブジェクト作成手段５５、ＤＢオブジェクト格納手段５６、相互関連情報作成手段５７、ノードブランチテーブル５８、機器属性テーブル５９、電力系統機器操作関連テーブル６０、機能対応テーブル６１、インターロック判定テーブル６２、これら各種のテーブルの内容を用いて試験項目の異なる複数の試験手順書を作成する試験手順作成装置６３、試験手順書データを格納する試験手順書格納手段６４などが設けられている。
【０１００】
さらに、従電力監視制御装置５においては、メンテナンス員が系統模擬試験に必要なデータを入力する端末装置７１と、試験手順書作成手段６３で作成され特定される試験対象電力系統機器、試験必要電力系統機器の電気的接続試験や操作に関連する電力系統機器の試験のために系統状態データが格納される模擬用系統設定テーブル７２と、模擬的な系統状態を格納する系統状態模擬用テーブル７３と、端末装置７１から試験番号および試験ケースが指定されたとき、模擬用系統設定テーブル７２の系統状態に基づいて系統状態模擬用テーブル７３の模擬的な系統状態を変更する模擬用系統設定手段７４と、前記系統状態模擬用テーブル７３の内容に応じて電力系統監視制御装置本体を実際に動作させる電力系統監視制御機能７５とが設けられている。また、従電力監視制御装置５には試験をする場合のために従電力監視制御装置５を実際の電力系統から切り離し模擬的な電力系統に設定するホスト計算機運転モード設定装置７６が設けられている。
【０１０１】
次に、以上のような装置の動作について説明する。
ここでは、ＤＢオブジェクト作成手段５５や相互関連情報作成手段５７の動作は第４および第５の実施の形態で既に述べているので省略する。
【０１０２】
従って、以後、新たに追加された各要素７１〜７６に関連する部分の動作を説明する。試験手順書作成手段６３は、出力装置６５（図１５）などに試験手順書を出力するが、このとき同時に試験対象電力系統機器や試験必要電力系統機器のの電気的な接続試験や操作に関連する電力系統機器の試験のための系統状態を模擬用系統設定テーブル７２に格納する。
【０１０３】
この状態においてメンテナンス員が端末装置７１を用いて試験番号および試験ケースを指定したとき、模擬用系統設定手段７４は、模擬用系統設定テーブル７２の情報から系統状態模擬用テーブル７３の状態を変更する。
【０１０４】
しかる後、試験をする場合、ホスト計算機運転モード設定装置７６は、実際の電力系統から切り離し、模擬的な電力系統に設定する。その結果、従電力系統監視制御装置５が模擬モードに設定されると、電力系統監視制御機能７５は、変更された系統状態模擬用テーブル７３の模擬情報を電力系統として扱い、模擬的に試験を実施する。なお、ここで、電力系統監視制御機能７５とは、従電力系統監視制御装置５の動作を行わせる各種の装置例えば監視装置、表示装置、制御装置、記録装置の総称である。
【０１０５】
以下、動作について具体的に説明する。第４および第５の実施の形態では、予め対象電力系統機器や試験必要電力系統機器の試験のために、当該電力系統機器の入り切り状態を設定する。この入り切り状態の設定には次の２種類がある。
【０１０６】
＊  操作における電気的な接続のものの試験を行う場合。
＊  操作における他の開閉器の入り切り状態と関連する試験を行う場合。
以下、各々について述べる。
（１）  電気的な接続状態の試験の場合。
【０１０７】
試験のために電力系統機器の入り切り状態を全て入りとし、充電状態に設定する。しかる後、試験対象電力系統機器テーブル５４から充停電状態における試験のために試験対象機器の名称を取り出す。
【０１０８】
今、図７を用いて具体的に説明する。図７においてＬＳ  ＹＹＹを試験対象機器とした場合、ＣＢ  ＸＸＸとＬＳ  ａａａとＬＳ  ｚｚｚは充停電状態の設定に必要な機器である。以上の３個の機器は、試験対象機器の両端とも充電、両端とも停電、片側のみ充電という状態で設定できる。
【０１０９】
このような設定状態を認識するために、試験番号と試験ケースとで割り当て、試験手順書作成手段６３で図１９に示す帳票（試験手順書）の形で作成され、試験手順書格納手段６４や系統状態模擬用テーブル７３に格納され、さらに端末装置７１例えば印字出力装置から出力される。この図１９の帳票は試験番号を除けば、図１２の試験手順書と同じである。
【０１１０】
従って、メンテナンス員は、端末装置７１から出力される図１９の試験手順書を用いて、当該端末装置７１から試験番号と試験ケースとを入力すると、模擬用系統設定手段７４では、模擬用系統設定テーブル７２の系統状態を参照しながら系統状態模擬用テーブル７３の模擬的な系統状態を変更し試験できる系統状態を作り出するので、試験をするための効率を大幅に向上できる。
【０１１１】
なお、図１９において試験ケース１は、ブランチｉが充電、かつ、ブランチｊが充電の試験手順となる。この場合には、ＣＢ  ｘｘｘ、ＬＳ  ａａａ、ＬＳｚｚｚがすべて入りに自動設定する。次に、試験ケース２の場合には、ＣＢ  ｘｘｘが入り、ＬＳ  ａａａ、ＬＳ  ｚｚｚが切りに自動設定する。試験ケース３の場合には、ＣＢ  ｘｘｘが切り、ＬＳ  ａａａ、ＬＳ  ｚｚｚが入りに自動設定する。試験ケース４はの場合には、ＣＢ  ｘｘｘが切り、ＬＳ  ａａａ，ＬＳ  ｚｚｚは切りに自動設定する。
（２）  他の開閉器の入り切り状態と関連する試験の場合
試験用に系統状態を初期状態に設定する。このとき、開閉器の入り切り状態を全て入りとする。しかる後、試験対象電力系統機器テーブル５４から、充停電状態における試験のために試験対象機器の名称を取り出す。
【０１１２】
今、図１３を例に上げて説明する。図１３においてＬＳ  １を試験対象機器とした場合、ＣＢ  １とＬＳ  ３の入り切り状態が試験の設定に必要な電力系統機器となる。これは、機器属性テーブル５９および電力系統機器操作関連テーブル６０の各データから求めることができる。この２個の電力系統機器の入り切り状態によって、試験対象機器の操作試験ケースを設定できる。
【０１１３】
このような設定状態を認識するために、試験番号と試験ケースとで割り当てた出力帳票の例が図２０である。よって、試験手順書作成手段６３は、図１９に示す帳票（試験手順書）を作成し、試験手順書格納手段６４や系統状態模擬用テーブル７３に格納し、さらに端末装置７１例えば印字出力装置から出力する。
【０１１４】
従って、メンテナンス員は、端末装置７１から出力される図２０の試験手順書を用いて、当該端末装置７１から試験番号と試験ケースとを入力すると、模擬用系統設定手段７４では、模擬用系統設定テーブル７２の系統状態を参照しながら系統状態模擬用テーブル７３の模擬的な系統状態を変更し試験できる系統状態を作り出するので、試験をするための効率を大幅に向上できる。
【０１１６】
【発明の効果】
請求項1の発明によれば、他の電力系統監視制御装置において各種の記憶データを用いて所定の順序に従って自動的に試験手順書を作成でき、メンテナンスするＤＢソースの試験漏れや試験対象項目の漏れを無くすことができる。
【０１１７】
請求項２の発明によれば、他の電力系統監視制御装置においてメンテナンス対象ではないが、追加，変更，削除された電力系統機器との関連から試験を必要とする電力系統機器を確実に取り出すことができ、関連電力系統機器の試験を落とすことがない。
【図面の簡単な説明】
【図１】  本発明に係わる電力系統監視制御装置の基本的な構成例を示す図。
【図２】  図１のＤＢソース格納手段に格納されるＤＢソースのデータ配列構成を示す図。
【図３】  実際の電力系統例を示す図。
【図４】  本発明に係わる電力系統監視制御装置の他の基本的な構成例を示す図。
【図５】  本発明に係わる電力系統監視制御装置のさらに他の基本的な構成例を示す図。
【図６】  本発明の請求項１に係わる電力系統監視制御装置の一実施形態を示すブロック構成図。
【図７】  図６に示すノードブランチテーブルのデータ配列構成例図。
【図８】  図６に示す機器属性テーブルのデータ配列構成例図。
【図９】  図６に示す電力系統機器操作関連テーブルのデータ配列構成例図。
【図１０】  図６に示す機能対応テーブルのデータ配列構成例図。
【図１１】  図６に示すインターロック判定テーブルのデータ配列構成例図。
【図１２】  電力系統監視制御装置で作成される試験手順書の一例を示す図。
【図１３】  他の開閉器の入り切り状態と関連する例を説明する図。
【図１４】  電力系統監視制御装置で作成される他の試験手順書を示す図。
【図１５】  本発明の請求項２に係わる電力系統監視制御装置の一実施形態を示すブロック構成図。
【図１６】  図１３と比較するための系統例図。
【図１７】  電力系統のブランチ状態を示す図。
【図１８】  本発明に係わる電力系統監視制御装置のさらに他の基本的な構成例を示す図。
【図１９】  図１８の電力系統監視制御装置で作成される試験手順書の一例を示す図。
【図２０】  図１８の電力系統監視制御装置で作成される他の試験手順書の一例を示す図。
【図２１】  従来の電力系統監視制御装置を示すブロック構成図。
【符号の説明】
１…主電力系統監視制御装置
２…端末装置、
５…従電力系統監視制御装置
１１…ＤＢソース格納手段
１２…ＤＢオブジェクト作成手段
１４…電力系統監視制御機能
１５…主装置伝送装置
５１…従装置伝送装置
５２…ＤＢソース格納手段
５３…ＤＢ変更確認手段
５４…試験対象電力系統機器テーブル
５５…ＤＢオブジェクト作成手段
５７…相互関連情報作成手段
５８…ノードブランチテーブル
５９…機器属性テーブル
６０…機器操作関連テーブル
６１…機器対応テーブル
６２…インターロック判定テーブル
６３…試験手順書作成手段
７２…模擬用系統設定テーブル
７３…系統状態模擬用テーブル
７４…模擬用系統設定手段
７５…電力系統監視制御機能
【図１】
0003701767.tif 000003
【図２】
0003701767.tif 000004
【図３】
0003701767.tif 000005
【図４】
0003701767.tif 000006
【図５】
0003701767.tif 000007
【図６】
0003701767.tif 000008
【図７】
0003701767.tif 000009
【図８】
0003701767.tif 000010
【図９】
0003701767.tif 000011
【図１０】
0003701767.tif 000012
【図１１】
0003701767.tif 000013
【図１２】
0003701767.tif 000014
【図１３】
0003701767.tif 000015
【図１４】
0003701767.tif 000016
【図１５】
0003701767.tif 000017
【図１６】
0003701767.tif 000018
【図１７】
0003701767.tif 000019
【図１８】
0003701767.tif 000020
【図１９】
0003701767.tif 000021
【図２０】
0003701767.tif 000022
【図２１】
0003701767.tif 000023